(57)【要約】【課題】光学部品を交換したとしても画像の測定を行うことなく画質の向上を図ることができるプロジェクター等を提供する。【解決手段】画像信号に基づいて画像を投射するプロジェクターは、光源部と、前記光源部からの光を前記画像信号に基づいて変調する光変調部と、少なくとも、前記光源部からの光の分光分布に対応した分光情報と前記光変調部の分光変調率に対応した分光情報とに基づいて算出された補正データによって更新される補正データ記憶部と、前記補正データ記憶部に記憶される前記補正データに基づいて前記画像信号を補正する画像信号補正部とを含む。【選択図】図１
2010230800.tif 000002
【特許請求の範囲】
【請求項１】
画像信号に基づいて画像を投射するプロジェクターであって、
光源部と、
前記光源部からの光を前記画像信号に基づいて変調する光変調部と、
少なくとも、前記光源部からの光の分光分布に対応した分光情報と前記光変調部の分光変調率に対応した分光情報とに基づいて算出された補正データによって更新される補正データ記憶部と、
前記補正データ記憶部に記憶される前記補正データに基づいて前記画像信号を補正する画像信号補正部とを含むことを特徴とするプロジェクター。
【請求項２】
画像信号に基づいて画像を投射するプロジェクターであって、
光源部と、
前記光源部からの光を複数の色光に分離する色分離部と、
各色光に対応して設けられ、色光を前記画像信号に基づいて変調する複数の光変調部と、
前記光源部からの光の分光分布に対応した分光情報、前記色分離部の分光変調率に対応した分光情報、及び前記複数の光変調部の分光変調率に対応した分光情報に基づいて算出された補正データによって更新される補正データ記憶部と、
前記補正データ記憶部に記憶される前記補正データに基づいて前記画像信号を補正する画像信号補正部とを含むことを特徴とするプロジェクター。
【請求項３】
請求項１又は２において、
前記光源部からの光の分光分布に対応した分光情報を記憶する光源情報記憶部を含み、
前記補正データが、
少なくとも、前記光源情報記憶部に記憶された分光情報と、前記分光変調率に対応した分光情報とに基づいて算出されることを特徴とするプロジェクター。
【請求項４】
請求項２において、
前記光源部からの光の分光分布に対応した分光情報を記憶する光源情報記憶部と、
前記色分離部の分光変調率に対応した分光情報を記憶する色分離情報記憶部と、
前記複数の光変調部の分光変調率に対応した分光情報を記憶する光変調情報記憶部とを含み、
前記補正データが、
前記光源情報記憶部に記憶された分光情報、前記色分離情報記憶部に記憶された分光情報、及び前記光変調情報記憶部に記憶された分光情報に基づいて算出されることを特徴とするプロジェクター。
【請求項５】
請求項３又は４において、
前記光源部が、前記光源情報記憶部を有することを特徴とするプロジェクター。
【請求項６】
請求項４において、
前記光源部が、前記光源情報記憶部を有し、
前記色分離部が、前記色分離情報記憶部を有し、
前記複数の光変調部を構成する各光変調部が、前記光変調情報記憶部を有することを特徴とするプロジェクター。
【請求項７】
請求項１乃至６のいずれかにおいて、
少なくとも、前記光源部からの光の分光分布に対応した分光情報と前記光変調部の分光変調率に対応した分光情報とに基づいて前記補正データを算出する補正データ算出部を含むことを特徴とするプロジェクター。
【請求項８】
請求項７において、
前記補正データ算出部が、
所与の色空間上の色彩値に変換した後、前記補正データを算出することを特徴とするプロジェクター。
【請求項９】
複数の色光を画像信号に基づいて変調して画像を投射するプロジェクターを調整するプロジェクター調整システムであって、
請求項１乃至６のいずれか記載のプロジェクターと、
前記プロジェクターの投射画像を調整する画像調整装置とを含み、
前記画像調整装置は、
少なくとも、前記光源部からの光の分光分布に対応した分光情報と前記光変調部の分光変調率に対応した分光情報とに基づいて前記補正データを算出する補正データ算出部を含むことを特徴とするプロジェクター調整システム。
【請求項１０】
請求項９において、
前記補正データ算出部が、
所与の色空間上の色彩値に変換した後、前記補正データを算出することを特徴とするプロジェクター調整システム。
【請求項１１】
光源部と、
前記光源部からの光を画像信号に基づいて変調する光変調部とを含むプロジェクターを調整するプロジェクター調整方法であって、
少なくとも、前記光源部からの光の分光分布に対応した分光情報と前記光変調部の分光変調率に対応した分光情報とに基づいて補正データを算出する補正データ算出ステップと、
前記補正データ算出ステップにおいて算出された前記補正データに基づいて前記画像信号を補正する画像信号補正ステップとを含むことを特徴とするプロジェクター調整方法。
【請求項１２】
光源部と、
前記光源部からの光を複数の色光に分離する色分離部と、
色光毎に設けられ、各色光を画像信号に基づいて変調する複数の光変調部とを含むプロジェクターを調整するプロジェクター調整方法であって、
前記光源部からの光の分光分布に対応した分光情報、前記色分離部の分光変調率に対応した分光情報、及び前記複数の光変調部の分光変調率に対応した分光情報に基づいて補正データを算出する補正データ算出ステップと、
前記補正データ算出ステップにおいて算出された前記補正データに基づいて前記画像信号を補正する画像信号補正ステップとを含むことを特徴とするプロジェクター調整方法。
【請求項１３】
請求項１１又は１２において、
前記補正データ算出ステップが、
所与の色空間上の色彩値に変換した後、前記補正データを算出することを特徴とするプロジェクター調整方法。
【請求項１４】
複数の色光を画像信号に基づいて変調して画像を投射するプロジェクターに搭載される光源装置であって、
前記複数の色光を含む光を発生する光源と、
前記光源からの光の分光分布に対応した分光情報を記憶する光源情報記憶部とを含み、
前記分光情報が、読み出し可能に構成されることを特徴とする光源装置。
【請求項１５】
複数の色光を画像信号に基づいて変調して画像を投射するプロジェクターに搭載される色分離装置であって、
光源からの光を前記複数の色光に分離する色分離部と、
前記色分離部の分光変調率に対応した分光情報を記憶する色分離情報記憶部とを含み、
前記分光情報が、読み出し可能に構成されることを特徴とする色分離装置。
【請求項１６】
複数の色光を画像信号に基づいて変調して画像を投射するプロジェクターに搭載される光変調装置であって、
前記画像信号に基づいて前記複数の色光の１つを変調する光変調部と、
前記光変調部の分光変調率に対応した分光情報を記憶する光変調情報記憶部とを含み、
前記分光情報が、読み出し可能に構成されることを特徴とする光変調装置。
【発明の詳細な説明】
【技術分野】
【０００１】
本発明は、プロジェクター、プロジェクター調整システム、プロジェクター調整方法、該プロジェクターに搭載される光源装置、色分離装置、及び光変調装置等に関する。
【背景技術】
【０００２】
近年、投写型の画像表示装置としてのプロジェクターは、高画質化や低コスト化が進み、種々の場面で使用されるに至っている。そのため、プロジェクターについては、使用される場面に応じて、色の再現性や画質が、より一層、重要視されるようになっている。そこで、投射画像の色ムラ、輝度ムラやプロジェクターの個体差等を考慮して、画質を精度良く向上させることが重要になっている。
【０００３】
一般的に、プロジェクターの投射画像の画質を調整する場合、この投射画像をマルチバンド測定（マルチバンド撮影）により測定し、その測定結果をプロジェクターに反映させることが行われる。このようなマルチバンド測定については、例えば特許文献１に開示されている。
【０００４】
この特許文献１には、黒信号レベルによるオフセット画像を、複数の原色それぞれに対応するバンドのフィルターを切り替えながら順次マルチバンド測定を行い、プロジェクターの補正データを算出する技術が開示されている。即ち、特許文献１では、撮像側（測定側）であるカメラに、複数の原色それぞれに対応するバンドのフィルターを取り付けることでマルチバンド測定が行われる。
【先行技術文献】
【特許文献】
【０００５】
【特許文献１】特開２００５−２０５８１号公報
【発明の概要】
【発明が解決しようとする課題】
【０００６】
ところで、プロジェクターの投射画像の明るさや色を決める要素として、プロジェクターを構成する光学部品である光源、照明光学系、光変調光学系、及び投射光学系や、画像が投射されるスクリーン等がある。このようなプロジェクターは、その品質維持のために、光学部品（例えば光源）を交換できるように構成される。
【０００７】
しかしながら、例えばランプ（光源）を交換した場合に、ランプが持つ特性のばらつきに起因して、交換後のランプと交換前のランプの明るさや色が変化してしまうことが多い。ここで、ランプの十分な選別によって特性を揃えることは可能であるが、コスト面において現実的ではない。また、例えば非常に狭い帯域のフィルターにランプからの光を通過させることで、色成分の純度を上げることができる。この場合、たとえランプの分光分布が変化しても、投射画像の画質を一定に維持できる。しかしながら、帯域の狭いフィルターの使用によってランプからの光の利用効率が下がり、画像が暗くなるという問題があり、現実的には、ランプの交換後に、投射画像を再度測定して、画質調整を再度行う必要がある。
【０００８】
このように、光学部品を交換してしまうと特性のばらつきに起因して画質が変化してしまい、交換作業の度に、例えば特許文献１に開示されたような画像の測定が必要となり、測定に必要な部品の追加によるコスト高や交換作業の煩わしさを招く。
【０００９】
本発明は、以上のような技術的課題に鑑みてなされたものであり、その目的の１つは、光学部品を交換したとしても画像の測定を行うことなく画質の向上を図ることができるプロジェクター、プロジェクター調整システム、プロジェクター調整方法、光源装置、色分離装置、及び光変調装置等を提供することにある。
【課題を解決するための手段】
【００１０】
（１）本発明の一態様は、画像信号に基づいて画像を投射するプロジェクターが、光源部と、前記光源部からの光を前記画像信号に基づいて変調する光変調部と、少なくとも、前記光源部からの光の分光分布に対応した分光情報と前記光変調部の分光変調率に対応した分光情報とに基づいて算出された補正データによって更新される補正データ記憶部と、前記補正データ記憶部に記憶される前記補正データに基づいて前記画像信号を補正する画像信号補正部とを含む。
【００１１】
本態様によれば、光源部からの光の分光分布に対応した分光情報と光変調部の分光変調率に対応した分光情報とを用いて補正データを算出して更新した補正データに基づいて画像信号を補正するようにしたので、プロジェクターを構成する光源部や光変調部を交換した場合であっても、交換後にプロジェクターの投射画像を測定することなく補正データが更新されるため、測定の煩わしさを伴うことなく、光源部や光変調部の交換に起因した画質の劣化を防止できるようになる。
【００１２】
（２）本発明の他の態様は、画像信号に基づいて画像を投射するプロジェクターが、光源部と、前記光源部からの光を複数の色光に分離する色分離部と、各色光に対応して設けられ、色光を前記画像信号に基づいて変調する複数の光変調部と、前記光源部からの光の分光分布に対応した分光情報、前記色分離部の分光変調率に対応した分光情報、及び前記複数の光変調部の分光変調率に対応した分光情報に基づいて算出された補正データによって更新される補正データ記憶部と、前記補正データ記憶部に記憶される前記補正データに基づいて前記画像信号を補正する画像信号補正部とを含む。
【００１３】
本態様によれば、光源部からの光の分光分布に対応した分光情報、色分離部の分光変調率に対応した分光情報及び光変調部の分光変調率に対応した分光情報とを用いて補正データを算出して更新した補正データに基づいて画像信号を補正するようにしたので、プロジェクターを構成する光源部、色分離部や光変調部を交換した場合であっても、交換後にプロジェクターの投射画像を測定することなく補正データが更新されるため、測定の煩わしさを伴うことなく、光源部や色分離部や光変調部の交換に起因した画質の劣化を防止できるようになる。
【００１４】
（３）本発明の他の態様に係るプロジェクターでは、前記光源部からの光の分光分布に対応した分光情報を記憶する光源情報記憶部を含み、前記補正データが、少なくとも、前記光源情報記憶部に記憶された分光情報と、前記分光変調率に対応した分光情報とに基づいて算出される。
【００１５】
本態様によれば、光源部からの光の分光分布に対応した分光情報を記憶する光源情報記憶部を含むようにしたので、光源部を除く光学部品（例えば光変調部）を交換した場合であっても、交換する度に、プロジェクターを構成する光学部品の分光情報に基づいて補正データを更新することができ、交換が繰り返されたとしても画質を維持できるようになる。
【００１６】
（４）本発明の他の態様に係るプロジェクターでは、前記光源部からの光の分光分布に対応した分光情報を記憶する光源情報記憶部と、前記色分離部の分光変調率に対応した分光情報を記憶する色分離情報記憶部と、前記複数の光変調部の分光変調率に対応した分光情報を記憶する光変調情報記憶部とを含み、前記補正データが、前記光源情報記憶部に記憶された分光情報、前記色分離情報記憶部に記憶された分光情報、及び前記光変調情報記憶部に記憶された分光情報に基づいて算出される。
【００１７】
本態様によれば、光源情報記憶部、色分離情報記憶部及び光変調情報記憶部を含むようにしたので、光源部や色分離部や光変調部の少なくとも１つを交換した場合であっても、交換する度に、プロジェクターを構成する光学部品の分光情報に基づいて補正データを更新することができ、交換が繰り返されたとしても画質を維持できるようになる。
【００１８】
（５）本発明の他の態様に係るプロジェクターでは、前記光源部が、前記光源情報記憶部を有する。
【００１９】
本態様によれば、光源部に特有の分光情報を光源情報記憶部に記憶させておくことができるので、交換の度に光源情報記憶部の記憶内容を更新する手間を省くことができ、光学部品の特性に応じた画質の向上を精度良く実現できるようになる。
【００２０】
（６）本発明の他の態様に係るプロジェクターでは、前記光源部が、前記光源情報記憶部を有し、前記色分離部が、前記色分離情報記憶部を有し、前記複数の光変調部を構成する各光変調部が、前記光変調情報記憶部を有する。
【００２１】
本態様によれば、光源部に特有の分光情報を光源情報記憶部に記憶させ、色分離部に特有の分光情報を色分離情報記憶部に記憶させ、光変調部に特有の分光情報を光変調情報記憶部に記憶させておくことができるので、交換の度に光源情報記憶部や色分離情報記憶部や光変調情報記憶部の記憶内容を更新する手間を省くことができ、光学部品の特性に応じた画質の向上を精度良く実現できるようになる。
【００２２】
（７）本発明の他の態様に係るプロジェクターでは、少なくとも、前記光源部からの光の分光分布に対応した分光情報と前記光変調部の分光変調率に対応した分光情報とに基づいて前記補正データを算出する補正データ算出部を含む。
【００２３】
本態様によれば、プロジェクター内で補正データを算出できるようにしたので、上記の効果に加えて、光学部品を交換しても調整可能なプロジェクターの調整システムの構成を簡素化できる。
【００２４】
（８）本発明の他の態様に係るプロジェクターでは、前記補正データ算出部が、所与の色空間上の色彩値に変換した後、前記補正データを算出する。
【００２５】
本態様によれば、光学部品を交換してプロジェクターの投射画像の色が変化してしまう場合であっても、精度良く補正データを算出できるようになる。
【００２６】
（９）本発明の他の態様は、複数の色光を画像信号に基づいて変調して画像を投射するプロジェクターを調整するプロジェクター調整システムが、上記のいずれか記載のプロジェクターと、前記プロジェクターの投射画像を調整する画像調整装置とを含み、前記画像調整装置は、少なくとも、前記光源部からの光の分光分布に対応した分光情報と前記光変調部の分光変調率に対応した分光情報とに基づいて前記補正データを算出する補正データ算出部を含む。
【００２７】
本態様によれば、プロジェクターを構成する光学部品を交換した場合であっても、交換後にプロジェクターの投射画像を測定することなく補正データが更新されるため、測定の煩わしさを伴うことなく、光学部品の交換に起因した画質の劣化を防止できるようになる。
【００２８】
（１０）本発明の他の態様に係るプロジェクター調整システムでは、前記補正データ算出部が、所与の色空間上の色彩値に変換した後、前記補正データを算出する。
【００２９】
本態様によれば、光学部品を交換してプロジェクターの投射画像の色が変化してしまう場合であっても、精度良く補正データを算出できるようになる。
【００３０】
（１１）本発明の他の態様は、光源部と、前記光源部からの光を画像信号に基づいて変調する光変調部とを含むプロジェクターを調整するプロジェクター調整方法が、少なくとも、前記光源部からの光の分光分布に対応した分光情報と前記光変調部の分光変調率に対応した分光情報とに基づいて補正データを算出する補正データ算出ステップと、前記補正データ算出ステップにおいて算出された前記補正データに基づいて前記画像信号を補正する画像信号補正ステップとを含む。
【００３１】
本態様によれば、光源部からの光の分光分布に対応した分光情報と光変調部の分光変調率に対応した分光情報とを用いて補正データを算出して更新した補正データに基づいて画像信号を補正するようにしたので、プロジェクターを構成する光源部や光変調部を交換した場合であっても、交換後にプロジェクターの投射画像を測定することなく補正データが更新されるため、測定の煩わしさを伴うことなく、光源部や光変調部の交換に起因した画質の劣化を防止できるようになる。
【００３２】
（１２）本発明の他の態様は、光源部と、前記光源部からの光を複数の色光に分離する色分離部と、色光毎に設けられ、各色光を画像信号に基づいて変調する複数の光変調部とを含むプロジェクターを調整するプロジェクター調整方法が、前記光源部からの光の分光分布に対応した分光情報、前記色分離部の分光変調率に対応した分光情報、及び前記複数の光変調部の分光変調率に対応した分光情報に基づいて補正データを算出する補正データ算出ステップと、前記補正データ算出ステップにおいて算出された前記補正データに基づいて前記画像信号を補正する画像信号補正ステップとを含む。
【００３３】
本態様によれば、光源部からの光の分光分布に対応した分光情報、色分離部の分光変調率に対応した分光情報及び光変調部の分光変調率に対応した分光情報とを用いて補正データを算出して更新した補正データに基づいて画像信号を補正するようにしたので、プロジェクターを構成する光源部、色分離部や光変調部を交換した場合であっても、交換後にプロジェクターの投射画像を測定することなく補正データが更新されるため、測定の煩わしさを伴うことなく、光源部や色分離部や光変調部の交換に起因した画質の劣化を防止できるようになる。
【００３４】
（１３）本発明の他の態様に係るプロジェクター調整方法では、前記補正データ算出ステップが、所与の色空間上の色彩値に変換した後、前記補正データを算出する。
【００３５】
本態様によれば、光学部品を交換してプロジェクターの投射画像の色が変化してしまう場合であっても、精度良く補正データを算出できるようになる。
【００３６】
（１４）本発明の他の態様は、複数の色光を画像信号に基づいて変調して画像を投射するプロジェクターに搭載される光源装置が、前記複数の色光を含む光を発生する光源と、前記光源からの光の分光分布に対応した分光情報を記憶する光源情報記憶部とを含み、前記分光情報が、読み出し可能に構成される。
【００３７】
本態様によれば、光源部に特有の分光情報を読み出すことができるので、この分光情報を用いた補正データの算出等に供することができ、光源装置を交換した場合であっても、交換後にプロジェクターの投射画像を測定することなく、光源装置の交換に起因した画質の劣化を防止に寄与できるようになる。
【００３８】
（１５）本発明の他の態様は、複数の色光を画像信号に基づいて変調して画像を投射するプロジェクターに搭載される色分離装置が、光源からの光を前記複数の色光に分離する色分離部と、前記色分離部の分光変調率に対応した分光情報を記憶する色分離情報記憶部とを含み、前記分光情報が、読み出し可能に構成される。
【００３９】
本態様によれば、色分離部に特有の分光情報を読み出すことができるので、この分光情報を用いた補正データの算出等に供することができ、色分離装置を交換した場合であっても、交換後にプロジェクターの投射画像を測定することなく、色分離装置の交換に起因した画質の劣化を防止に寄与できるようになる。
【００４０】
（１６）本発明の他の態様は、複数の色光を画像信号に基づいて変調して画像を投射するプロジェクターに搭載される光変調装置が、前記画像信号に基づいて前記複数の色光の１つを変調する光変調部と、前記光変調部の分光変調率に対応した分光情報を記憶する光変調情報記憶部とを含み、前記分光情報が、読み出し可能に構成される。
【００４１】
本態様によれば、光変調部に特有の分光情報を読み出すことができるので、この分光情報を用いた補正データの算出等に供することができ、色分離装置を交換した場合であっても、交換後にプロジェクターの投射画像を測定することなく、色分離装置の交換に起因した画質の劣化を防止に寄与できるようになる。
【図面の簡単な説明】
【００４２】
【図１】実施形態１におけるプロジェクター調整システムの構成例のブロック図。
【図２】図１の投射部の構成例のブロック図。
【図３】図２の投射部の詳細な構成例を示す図。
【図４】プロジェクターの投射光の分光分布の一例を示す図。
【図５】図４の各階調をｘｙ色度図上の色度座標に変換した図。
【図６】実施形態１における補正データ算出部の動作説明図。
【図７】図２又は図３の光源部の分光分布の説明図。
【図８】図３のＲ成分用ダイクロイックミラー及びＧ成分用ダイクロイックミラーの分光透過率の説明図。
【図９】図３のＲ成分用液晶パネル、Ｇ成分用液晶パネル及びＢ成分用液晶パネルの入射光の分光分布の説明図。
【図１０】等色関数の説明図。
【図１１】実施形態１における画像調整装置のハードウェア構成例のブロック図。
【図１２】実施形態１における画像調整装置における補正データの算出処理例のフロー図。
【図１３】実施形態１におけるプロジェクター調整システムの処理例のフロー図。
【図１４】実施形態２における投射部の構成例のブロック図。
【図１５】実施形態３におけるプロジェクター調整システムの構成例のブロック図。
【発明を実施するための形態】
【００４３】
以下、本発明の実施の形態について図面を用いて詳細に説明する。なお、以下に説明する実施の形態は、特許請求の範囲に記載された本発明の内容を不当に限定するものではない。また以下で説明される構成のすべてが本発明の課題の解決に必須の構成要件であるとは限らない。
【００４４】
以下の実施形態では、光学部品の分光透過率又は分光反射率を用いる例を説明するが、この分光透過率、分光反射率及びこれに類する概念の上位概念である分光変調率を用いるものに本発明を適用できる。
【００４５】
〔実施形態１〕
図１に、本発明に係る実施形態１におけるプロジェクター調整システムの構成例のブロック図を示す。
【００４６】
実施形態１におけるプロジェクター調整システム１０は、プロジェクターＰＪと、画像調整装置２０とを含む。
【００４７】
画像調整装置２０は、画像信号生成部２２と、補正データ算出部２４とを含む。画像調整装置２０は、プロジェクターＰＪと接続されており、プロジェクターＰＪを制御することができるようになっている。より具体的には、画像調整装置２０は、プロジェクターＰＪを構成する光学部品の分光情報に基づいて補正データを算出し、該補正データに基づいてプロジェクターＰＪの投射画像の画質を調整する制御を行う。プロジェクターＰＪは、この補正データに基づいて投射画像の輝度及び色度を調整できる。
【００４８】
そのため、画像調整装置２０において、画像信号生成部２２は、コンテンツ画像に対応した画像信号を生成し、該画像信号をプロジェクターＰＪに対して出力する。この画像信号生成部２２の機能は、画像調整装置２０の外部に設けられてもよい。また、画像調整装置２０において、補正データ算出部２４は、プロジェクターＰＪから、このプロジェクターＰＪを構成する光学部品の分光情報を取得し、該分光情報に基づいて補正データを算出する。画像調整装置２０は、この補正データを含むコマンドをプロジェクターＰＪに対して送信することができる。このような画像調整装置２０の機能は、例えばパーソナルコンピューター等を用いたソフトウェア処理や専用ハードウェア等によるハードウェア処理により実現される。
【００４９】
プロジェクターＰＪは、分光情報記憶部３０と、画像処理部（画像処理装置）４０と、投射部（画像表示部）１００とを含む。画像処理部４０は、画像信号入力部４２と、色補正テーブル記憶部（補正テーブル記憶部）４４と、画像信号補正部４６とを含む。分光情報記憶部３０には、投射部１００を構成する光学部品の分光情報が記憶されている。この分光情報は、補正データ算出部２４により読み取り可能に構成されている。画像調整装置２０の補正データ算出部２４は、分光情報記憶部３０に記憶された分光情報を取得し、該分光情報に基づいて補正データを算出する。
【００５０】
画像処理部４０は、画像信号生成部２２からの画像信号に対して、補正データ算出部２４において算出された補正データに基づいて補正処理を行い、該補正信号を投射部１００に対して出力する。即ち、画像信号入力部４２は、画像調整装置２０からの画像信号の受信インターフェース処理を行い、入力画像の画像信号として画像信号補正部４６に出力する。この受信インターフェース処理としては、物理層の信号レベルの変換処理やプログレッシブ変換処理を含むことができる。一方、画像調整装置２０からのコマンドにより補正データを受け取った画像処理部４０は、色補正テーブル記憶部４４において、この補正データを色補正テーブルとして順次記憶していく。この色補正テーブル記憶部４４に記憶された色補正テーブルは、補正データ算出部２４によって補正データが算出される毎に、そのテーブル内容が更新されるようになっている。色補正テーブルは、画像を構成する色成分毎に、複数の階調値のそれぞれに対応付けられた補正データにより構成される。画像信号補正部４６は、画像信号入力部４２からの画像信号に対し、色補正テーブル記憶部４４に記憶された色補正テーブルを参照して補正処理を行い、輝度及び色度の少なくとも一方を補正した画像信号を生成し、該画像信号を投射部１００に対して出力する。
【００５１】
図１において、画像調整装置２０の機能が、プロジェクターＰＪに内蔵されていてもよい。この場合、プロジェクターＰＪは、画像信号生成部２２及び補正データ算出部２４の少なくとも１つの機能が内蔵される。また、分光情報記憶部３０は、投射部１００又は画像処理部４０の外部に設けられているが、投射部１００又は画像処理部４０の内部に設けられていてもよい。
【００５２】
図２に、図１の投射部１００の構成例のブロック図を示す。なお、実施形態１では、投射部１００が図２の構成を有するものとして説明するが、本発明に係るプロジェクターにおける投射部の構成が図２の構成に限定されるものではない。
【００５３】
投射部１００は、光源部１１０と、色分離部１８０と、光変調部１９０１〜１９０Ｎ（Ｎは２以上の整数）と、合成部１９２と、投射レンズ１７０とを含む。
【００５４】
光源部１１０は、複数の色光を含む光を発生する。色分離部１８０は、光源部１１０からの光を複数の色光に分離する。色分離部１８０によって分離された各色光は、対応する光変調部に入射される。
【００５５】
光変調部は、色分離部１８０により分離される色光数だけ設けられており、色分離部１８０が光源部１１０からの光をＲＧＢの３つの色成分の色光に分離する場合、Ｎが３となる。例えば、光変調部１９０１は、色分離部１８０によって分離された色光のうちＲ成分の色光を、画像信号補正部４６によって補正された画像信号に基づいて変調し、変調後の光を合成部１９２に出射する。また光変調部１９０２は、色分離部１８０によって分離された色光のうちＧ成分の色光を、画像信号補正部４６によって補正された画像信号に基づいて変調し、変調後の光を合成部１９２に出射する。更に、光変調部１９０３は、色分離部１８０によって分離された色光のうちＢ成分の色光を、画像信号補正部４６によって補正された画像信号に基づいて変調し、変調後の光を合成部１９２に出射する。
【００５６】
合成部１９２は、光変調部１９０１〜１９０Ｎのそれぞれからの変調後の光を合成し、合成した光を投射レンズ１７０に出射する。投射レンズ１７０は、合成部１９２によって複数の変調光が合成された光を用いて投射画像をスクリーンＳＣＲ上に拡大して結像させる。
【００５７】
図３に、図２の投射部１００の詳細な構成例を示す。図３において、図２と同一部分には同一符号を付し、適宜説明を省略する。図３では、実施形態１における投射部１００が、いわゆる３板式の液晶プロジェクターにより構成されるものとして説明するが、本発明に係るプロジェクターの投射部がいわゆる３板式の液晶プロジェクターにより構成されるものに限定されるものではない。即ち、以下では、１画素がＲ成分のサブ画素、Ｇ成分のサブ画素、及びＢ成分のサブ画素により構成されるものとして説明するが、１画素を構成するサブ画素数（色成分数）に限定されるものではない。
【００５８】
実施形態１における投射部１００は、光源部１１０、インテグレーターレンズ１１２、１１４、偏光変換素子１１６、重畳レンズ１１８、Ｒ成分用ダイクロイックミラー１２０Ｒ、Ｇ成分用ダイクロイックミラー１２０Ｇ、反射ミラー１２２、Ｒ成分用フィールドレンズ１２４Ｒ、Ｇ成分用フィールドレンズ１２４Ｇ、Ｒ成分用液晶パネル１３０Ｒ（第１の光変調部）、Ｇ成分用液晶パネル１３０Ｇ（第２の光変調部）、Ｂ成分用液晶パネル１３０Ｂ（第３の光変調部）、リレー光学系１４０、クロスダイクロイックプリズム１６０、投射レンズ１７０を含む。Ｒ成分用液晶パネル１３０Ｒ、Ｇ成分用液晶パネル１３０Ｇ及びＢ成分用液晶パネル１３０Ｂとして用いられる液晶パネルは、透過型の液晶表示装置である。リレー光学系１４０は、リレーレンズ１４２、１４４、１４６、反射ミラー１４８、１５０を含む。
【００５９】
光源部１１０は、例えば超高圧水銀ランプにより構成され、少なくともＲ成分の光、Ｇ成分の光、Ｂ成分の光を含む光を射出する。インテグレーターレンズ１１２は、光源部１１０からの光を複数の部分光に分割するための複数の小レンズを有する。インテグレーターレンズ１１４は、インテグレーターレンズ１１２の複数の小レンズに対応する複数の小レンズを有する。重畳レンズ１１８は、インテグレーターレンズ１１２の複数の小レンズから射出される部分光を液晶パネル上で重畳する。
【００６０】
また偏光変換素子１１６は、偏光ビームスプリッターアレイとλ／２板とを有し、光源部１１０からの光を略一種類の偏光光に変換する。偏光ビームスプリッターアレイは、インテグレーターレンズ１１２により分割された部分光をｐ偏光とｓ偏光に分離する偏光分離膜と、偏光分離膜からの光の向きを変える反射膜とを、交互に配列した構造を有する。偏光分離膜で分離された２種類の偏光光は、λ／２板によって偏光方向が揃えられる。この偏光変換素子１１６によって略一種類の偏光光に変換された光が、重畳レンズ１１８に照射される。
【００６１】
重畳レンズ１１８からの光は、Ｒ成分用ダイクロイックミラー１２０Ｒに入射される。Ｒ成分用ダイクロイックミラー１２０Ｒは、Ｒ成分の光を反射して、Ｇ成分及びＢ成分の光を透過させる機能を有する。Ｒ成分用ダイクロイックミラー１２０Ｒを透過した光は、Ｇ成分用ダイクロイックミラー１２０Ｇに照射され、Ｒ成分用ダイクロイックミラー１２０Ｒにより反射した光は反射ミラー１２２により反射されてＲ成分用フィールドレンズ１２４Ｒに導かれる。
【００６２】
Ｇ成分用ダイクロイックミラー１２０Ｇは、Ｇ成分の光を反射して、Ｂ成分の光を透過させる機能を有する。Ｇ成分用ダイクロイックミラー１２０Ｇを透過した光は、リレー光学系１４０に入射され、Ｇ成分用ダイクロイックミラー１２０Ｇにより反射した光はＧ成分用フィールドレンズ１２４Ｇに導かれる。
【００６３】
リレー光学系１４０では、Ｇ成分用ダイクロイックミラー１２０Ｇを透過したＢ成分の光の光路長と他のＲ成分及びＧ成分の光の光路長との違いをできるだけ小さくするために、リレーレンズ１４２、１４４、１４６を用いて光路長の違いを補正する。リレーレンズ１４２を透過した光は、反射ミラー１４８によりリレーレンズ１４４に導かれる。リレーレンズ１４４を透過した光は、反射ミラー１５０によりリレーレンズ１４６に導かれる。リレーレンズ１４６を透過した光は、Ｂ成分用液晶パネル１３０Ｂに照射される。
【００６４】
Ｒ成分用フィールドレンズ１２４Ｒに照射された光は、平行光に変換されてＲ成分用液晶パネル１３０Ｒに入射される。Ｒ成分用液晶パネル１３０Ｒは、光変調部（光変調素子）として機能し、Ｒ成分用画像信号に基づいて透過率（通過率、変調率）が変化するようになっている。従って、Ｒ成分用液晶パネル１３０Ｒに入射された光（第１の色成分の光）は、Ｒ成分用画像信号に基づいて変調され、変調後の光がクロスダイクロイックプリズム１６０に入射される。
【００６５】
Ｇ成分用フィールドレンズ１２４Ｇに照射された光は、平行光に変換されてＧ成分用液晶パネル１３０Ｇに入射される。Ｇ成分用液晶パネル１３０Ｇは、光変調部（光変調素子）として機能し、Ｇ成分用画像信号に基づいて透過率（通過率、変調率）が変化するようになっている。従って、Ｇ成分用液晶パネル１３０Ｇに入射された光（第２の色成分の光）は、Ｇ成分用画像信号に基づいて変調され、変調後の光がクロスダイクロイックプリズム１６０に入射される。
【００６６】
リレーレンズ１４２、１４４、１４６で平行光に変換された光が照射されるＢ成分用液晶パネル１３０Ｂは、光変調部（光変調素子）として機能し、Ｂ成分用画像信号に基づいて透過率（通過率、変調率）が変化するようになっている。従って、Ｂ成分用液晶パネル１３０Ｂに入射された光（第３の色成分の光）は、Ｂ成分用画像信号に基づいて変調され、変調後の光がクロスダイクロイックプリズム１６０に入射される。
【００６７】
Ｒ成分用液晶パネル１３０Ｒ、Ｇ成分用液晶パネル１３０Ｇ、Ｂ成分用液晶パネル１３０Ｂは、それぞれ同様の構成を有している。各液晶パネルは、電気光学物質である液晶を一対の透明なガラス基板に密閉封入したものであり、例えばポリシリコン薄膜トランジスターをスイッチング素子として、各サブ画素の画像信号に対応して各色光の通過率を変調する。
【００６８】
実施形態１では、１画素を構成する色成分毎に光変調部としての液晶パネルが設けられ、各液晶パネルの透過率がサブ画素に対応した画像信号により制御される。即ち、Ｒ成分のサブ画素用の画像信号が、Ｒ成分用液晶パネル１３０Ｒの透過率（通過率、変調率）の制御に用いられ、Ｇ成分のサブ画素用の画像信号が、Ｇ成分用液晶パネル１３０Ｇの透過率の制御に用いられ、Ｂ成分のサブ画素用の画像信号が、Ｂ成分用液晶パネル１３０Ｂの透過率の制御に用いられる。
【００６９】
クロスダイクロイックプリズム１６０は、Ｒ成分用液晶パネル１３０Ｒ、Ｇ成分用液晶パネル１３０Ｇ及びＢ成分用液晶パネル１３０Ｂからの入射光を合成した合成光を出射光として出力する機能を有する。投射レンズ１７０は、出力画像をスクリーンＳＣＲ上に拡大して結像させるレンズである。
【００７０】
図３において、Ｒ成分用ダイクロイックミラー１２０Ｒ及びＧ成分用ダイクロイックミラー１２０Ｇは、図２の色分離部１８０の機能を実現する。また、図３は、図２においてＮが「３」である例を表しており、Ｒ成分用液晶パネル１３０Ｒは図２の光変調部１９０１の機能を実現し、Ｇ成分用液晶パネル１３０Ｇは図２の光変調部１９０２の機能を実現し、Ｂ成分用液晶パネル１３０Ｂは図２の光変調部１９０３の機能を実現する。また、クロスダイクロイックプリズム１６０は、図２の合成部１９２の機能を実現する。
【００７１】
このように、投射部１００は、光源部１１０と、色分離部１８０と、光変調部１９０１〜１９０Ｎとを含むことができる。このような構成を有するプロジェクターＰＪにおいて、実施形態１では、分光情報記憶部３０は、光源部１１０からの光の分光分布に対応した分光情報を記憶する光源情報記憶部と、色分離部１８０の分光透過率（広義には分光変調率。以下、同様）に対応した分光情報を記憶する色分離情報記憶部と、色成分毎の光変調部の分光透過率に対応した分光情報を記憶する光変調情報記憶部とを含む。
【００７２】
なお、投射部１００は、図２又は図３に示す構成をすべて含む必要はなく、例えば色分離部１８０を省略した構成を採用することができる。この場合、投射部１００は、光源部と、光変調部とを含むということができる。そして、プロジェクターＰＪにおいて、分光情報記憶部３０には、光源部１１０からの光の分光分布に対応した分光情報と、色成分毎の光変調部の分光透過率に対応した分光情報とが記憶される。
【００７３】
ところで、プロジェクターＰＪの投射光の分光分布は、各色成分について、階調が異なると分光分布の形状も異なってしまう。この分光分布の形状の変化は、色の変化を意味する。
【００７４】
図４に、プロジェクターＰＪの投射光の分光分布の一例を示す。図４は、横軸に投射光の波長を示し、縦軸に投射光のエネルギーを示し、ＲＧＢの色成分毎に、階調値の最大値と最小値とを含む９階調のそれぞれについての分光分布を表している。
図５に、図４の各階調をｘｙ色度図上の色度座標に変換した図を示す。図５では、横軸にｘ、縦軸にｙを表している。
【００７５】
図４では、短波長側からＢ成分、Ｇ成分、Ｒ成分の投射光のエネルギーが示されている。そして、図４は、色成分毎に、階調値を「２５５」、「２２４」、「１９２」、「１６０」、「１２８」、「９６」、「６４」、「３２」、「０」に変化させたときのエネルギーの変化を表す。各色成分においても、階調値が大きいほど、エネルギーが大きくなる。
【００７６】
ところが、図４に示すように、例えば階調値「２５５」の約半分である階調値「１２８」の分光分布の形状は、階調値「２５５」の分光分布と比較してピークが失われたりして形状が異なってくる。そのため、図５に示すように、ｘｙ色度図上の色度座標が階調値毎に変化してしまい、色が変化していることがわかる。
【００７７】
そこで、プロジェクターＰＪにおいては、色補正テーブルによって、画像信号により表される階調値に対応した補正を行うことが望ましい。しかしながら、投射部１００を構成する光学部品（特に、光源部１１０）を交換したときには、交換前の光学部品の分光特性に対して交換後の光学部品の分光特性が異なることにより、交換後のプロジェクターＰＪの投射光の分光分布も所望の特性を得ることができなくなってしまう。そのため、色補正テーブル自体を変更することが望ましいが、光学部品の交換の度に投射画像を測定し、その測定結果を色補正テーブルに反映させることは、手間がかかるばかりか、プロジェクターＰＪの測定システムが必要になる。
【００７８】
そこで、実施形態１では、投射部１００を構成する光学部品を交換する度に、補正データ算出部２４が、分光情報記憶部３０に記憶される分光情報を取得し、この分光情報を用いて補正データを算出し、この補正データにより色補正テーブルを更新する。
【００７９】
図６に、実施形態１における補正データ算出部２４の動作説明図を示す。
図７に、図２又は図３の光源部１１０の分光分布の説明図を示す。図７は、横軸に光源部１１０からの光の波長、縦軸に光のエネルギーを表す。
図８に、図３のＲ成分用ダイクロイックミラー１２０Ｒ及びＧ成分用ダイクロイックミラー１２０Ｇの分光透過率の説明図を示す。図８は、横軸に入射光の波長、縦軸に各ダイクロイックミラーの透過率を表す。
図９に、図３のＲ成分用液晶パネル１３０Ｒ、Ｇ成分用液晶パネル１３０Ｇ及びＢ成分用液晶パネル１３０Ｂの入射光の分光分布の説明図を示す。図９は、横軸に各色成分の入射光の波長、縦軸に各色成分の色光のエネルギーを表す。
【００８０】
プロジェクターＰＪの投射光の色は、光源部１１０の分光分布、色分離部１８０の分光透過率、光変調部の分光透過率によって決まる。そこで、補正データ算出部２４は、まず、図６に示すように、光源部１１０からの光の分光分布に対応した分光情報、色分離部としてのダイクロイックミラーの分光透過率に対応した分光情報、及び光変調部としての液晶パネルの分光透過率に対応した分光情報を乗算し、その乗算結果に等色関数を掛け合わせることにより、ＣＩＥ（Commission Internationale de l'Eclairage）表色系の色彩値を出力する。
【００８１】
より具体的には、補正データ算出部２４は、上記の分光情報を用いてＲＧＢの色成分毎に、プロジェクターＰＪの出射光の分光分布を算出する。分光情報記憶部３０には、各分光情報が、光の波長に対応したエネルギー又は透過率（反射率）が記憶されており、光の波長毎に分光情報により重み付けして足し合わせる処理によって、上記の分光分布が求められる。
【００８２】
即ち、補正データ算出部２４は、Ｒ成分の出射光の分光分布について、図７に示すような光源部１１０からの光の分光分布に対応した分光情報、図８に示すようなＲ成分用ダイクロイックミラー１２０Ｒの分光反射率（広義には分光変調率。以下、同様）に対応した分光情報、及びＲ成分用液晶パネル１２０Ｒの分光透過率に対応した分光情報を乗算してＲ成分の光の分光分布を算出する。ここで、Ｒ成分用ダイクロイックミラー１２０Ｒの分光反射率は、図８に示す分光透過率より求められる。
【００８３】
同様に、補正データ算出部２４は、Ｇ成分の出射光の分光分布について、図７に示すような光源部１１０からの光の分光分布に対応した分光情報、図８に示すようなＲ成分用ダイクロイックミラー１２０Ｒの分光透過率に対応した分光情報、Ｇ成分用のダイクロイックミラー１２０Ｇの分光反射率に対応した分光情報、及びＧ成分用液晶パネル１２０Ｇの分光透過率に対応した分光情報を乗算してＧ成分の光の分光分布を算出する。ここで、Ｇ成分用ダイクロイックミラー１２０Ｇの分光反射率は、図８に示す分光透過率より求められる。
【００８４】
更に、補正データ算出部２４は、Ｂ成分の出射光の分光分布について、図７に示すような光源部１１０からの光の分光分布に対応した分光情報、図８に示すようなＲ成分用ダイクロイックミラー１２０Ｒの分光透過率に対応した分光情報、Ｇ成分用ダイクロイックミラー１２０Ｇの分光透過率に対応した分光情報、及びＢ成分用液晶パネル１２０Ｂの分光透過率に対応した分光情報を乗算してＢ成分の光の分光分布を算出する。
【００８５】
この結果、図９に示すようなＲ成分用液晶パネル１３０Ｒ、Ｇ成分用液晶パネル１３０Ｇ及びＢ成分用液晶パネル１３０Ｂの各色成分の入射光の分光分布に対して、波長毎に、各色成分の液晶パネルの分光透過率により重み付けされて足し合わされた値が、出射光の分光分布として求められる。
【００８６】
その後、補正データ算出部２４は、各色成分の出射光の分光分布に等色関数を掛け合わせることにより、ＣＩＥ（Commission Internationale de l'Eclairage）表色系の色彩値を出力する。
【００８７】
図１０に、等色関数の説明図を示す。図１０は、横軸に光の波長、縦軸に分光応答度を示し、人間の目に対応する分光応答度を示す等色関数の一例を表す。
【００８８】
補正データ算出部２４は、上記のように求められた各色成分の分光分布を、図１０に示す等色関数に従って重み付けを行って足し合わせることでＸＹＺ表色系の色彩値を出力する。そして、補正データ算出部２４は、この色彩値を基準に、色が変化しないように画像信号に対する補正データを算出する。
【００８９】
これにより、光学部品を交換してプロジェクターＰＪの投射画像の色が変化してしまう場合であっても、測定システムにより投射画像を測定することなく色補正テーブルを修正して更新できるので、低コスト、且つ、容易に画質の向上を図ることができるプロジェクターを提供できるようになる。
【００９０】
このような補正データ算出部２４を含む画像調整装置２０の機能は、ハードウェア処理により実現されてもよいし、ソフトウェア処理により実現されてもよい。
【００９１】
図１１に、実施形態１における画像調整装置２０のハードウェア構成例のブロック図を示す。
【００９２】
画像調整装置２０は、中央演算処理装置（Central Processing Unit：ＣＰＵ）５０、インターフェース（InterFace：Ｉ／Ｆ）回路５２、読み出し専用メモリー（Read Only
Memory：ＲＯＭ）５４、ランダムアクセスメモリー（Random Access Memory：ＲＡＭ）５６、バス５８を有し、バス５８を介して、ＣＰＵ５０、Ｉ／Ｆ回路５２、ＲＯＭ５４、及びＲＡＭ５６は電気的に接続されている。
【００９３】
例えばＲＯＭ５４には、画像調整装置２０の機能を実現するプログラムが記憶される。ＣＰＵ５０は、ＲＯＭ５４に記憶されたプログラムを読み出し、該プログラムに対応した処理を実行することで、画像調整装置２０の機能をソフトウェア処理で実現できる。なお、ＲＡＭ５６は、ＣＰＵ５０による処理の作業エリアとして用いられたり、Ｉ／Ｆ回路５２やＲＯＭ５４のバッファエリアとして用いられたりする。Ｉ／Ｆ回路５２は、プロジェクターＰＪに送られる画像信号や補正データを含むコマンドの入力インターフェース処理を行う。
【００９４】
図１２に、実施形態１における画像調整装置２０における補正データの算出処理例のフロー図を示す。例えば、図１１のＲＯＭ５４に図１２に示す処理手順を指示するプログラムが記憶されており、ＣＰＵ５０がＲＯＭ５４から読み込んだプログラムに対応した処理を実行することで、画像調整装置２０の補正データ算出部２４の機能を図１２に示すようにソフトウェア処理により実現できるようになっている。
【００９５】
まず、画像調整装置２０は、プロジェクターＰＪの分光情報記憶部３０に記憶される分光情報のうち、光源部１１０の分光分布に対応した分光情報を読み出す（ステップＳ１０）。続いて、画像調整装置２０は、分光情報記憶部３０からＲ成分用ダイクロイックミラー１２０Ｒ及びＧ成分用ダイクロイックミラー１２０Ｇの分光透過率に対応した分光情報を読み出す（ステップＳ１２）。更に、画像調整装置２０は、分光情報記憶部３０からＲ成分用液晶パネル１３０Ｒ、Ｇ成分用液晶パネル１３０Ｇ及びＢ成分用液晶パネル１３０Ｂの分光透過率に対応した分光情報を読み出す（ステップＳ１４）。
【００９６】
そして、画像調整装置２０は、上記したように、９階調のうちの１つの階調値に対応した分光分布を算出し、ＸＹＺ表色系の色彩値を算出する（ステップＳ１６）。ステップＳ１６では、ＲＧＢの各色成分の９階調のそれぞれについてＸＹＺ表色系の色彩値が算出される。
【００９７】
次に、画像調整装置２０は、ステップＳ１６で算出したＸＹＺ表色系の色彩値をＲＧＢの階調値に変換する処理を行う（ステップＳ１８）。この変換処理については、例えば特開２００７−２８１５５９号公報に開示されている処理を採用することができ、回帰計算を行うことで変換精度を向上させて、ＲＧＢの階調値を得ることができる。ステップＳ１８では、ステップＳ１６で求められた色彩値のそれぞれについて、ＲＧＢの各色成分の階調値に変換される。
【００９８】
その後、画像調整装置２０は、ステップＳ１６でＸＹＺ表色系の色彩値を求める際に用いたＲＧＢの階調値に対応した画像信号を入力としたときにステップＳ１８で変換されたＲＧＢの階調値に変換するための補正データを算出し（ステップＳ２０）、一連の処理を終了する（エンド）。
【００９９】
ここで、ステップＳ１８において行われるＸＹＺ表色系の色彩値からＲＧＢの階調値への変換処理について説明する。
【０１００】
まず、ＲＧＢの単色の各階調におけるＸＹＺ表色系の色彩値Ｘ（Ｒ，０，０）、Ｙ（Ｒ，０，０）、Ｚ（Ｒ，０，０）等を上記のように投射部１００を構成する光学部品の分光情報を用いて算出する。ここでは、Ｒ成分のみを示しているが、Ｇ成分やＢ成分も同様に各階調について算出する。また、Ｒ成分の階調値の最大値をＲｍａｘ、Ｇ成分の階調値の最大値をＧｍａｘ、Ｂ成分の階調値の最大値をＢｍａｘとすると、白色の輝度Ｙ（Ｒｍａｘ，Ｇｍａｘ，Ｂｍａｘ）についても、同様に算出する。
【０１０１】
そして、次式のように正規化する。なお、次式ではＲ成分のみを示しているが、Ｇ成分及びＢ成分も同様である。
【数１】
2010230800.tif 000003
【０１０２】
ここで、各色におけるＲＧＢの階調値とＸＲ（Ｒ）、ＹＲ（Ｒ）、ＺＲ（Ｒ）等とを関連づけてテーブル化しておく。
【０１０３】
次に、以下のような回帰計算（例えば２回）行うことで、ＲＧＢの階調値に変換する。
【０１０４】
即ち、まず、ＲＧＢ単色の最大値におけるＸＹＺ表色系の色彩値を用いて、次のような変換行列Ｍ０を求める。
【数２】
2010230800.tif 000004
【０１０５】
そして、この変換行列Ｍ０を用いてＲＧＢの各色の輝度ＹＲ（Ｒ０）、ＹＧ（Ｇ０）、ＹＢ（Ｂ０）を求める。
【数３】
2010230800.tif 000005
【０１０６】
ここで、上記の通り、各色におけるＲＧＢの階調値と式（１）に従って求めたＸＲ（Ｒ）、ＹＲ（Ｒ）、ＺＲ（Ｒ）等とを関連づけたテーブルを参照して、各色のＲＧＢの階調値Ｒ０、Ｇ０、Ｂ０を求める。
【数４】
2010230800.tif 000006
【０１０７】
続いて、式（２）の変換行列Ｍ０の精度を高めるために、式（４）で求めたＲＧＢの階調値とこれに対応するＸＹＺ表色系の色彩値を用いて変換行列Ｍ１を再計算する。
【０１０８】
即ち、この階調値を式（５）のように正規化する。なお、式（５）はＲ成分のみを示しているが、Ｇ成分及びＢ成分についても同様である。
【数５】
2010230800.tif 000007
【０１０９】
その後、式（６）のように変換行列Ｍ１を求める。
【数６】
2010230800.tif 000008
【０１１０】
そして、この変換行列Ｍ１を用いてＲＧＢの各色の輝度ＹＲ（Ｒ１）、ＹＧ（Ｇ１）、ＹＢ（Ｂ１）を求める。
【数７】
2010230800.tif 000009
【０１１１】
その後、各色におけるＲＧＢの階調値と式（１）に従って求めたＸＲ（Ｒ）、ＹＲ（Ｒ）、ＺＲ（Ｒ）等とを関連づけたテーブルを参照して、各色のＲＧＢの階調値Ｒ１、Ｇ１、Ｂ１を求める。
【数８】
2010230800.tif 000010
【０１１２】
同様に、式（６）の変換行列Ｍ１の精度を高めるために、式（８）で求めたＲＧＢの階調値とこれに対応するＸＹＺ表色系の色彩値を用いて変換行列Ｍ２を再計算する。即ち、この階調値を次式のように正規化した後、変換行列Ｍ２を求め、この変換行列Ｍ２を用いてＲＧＢの各色の輝度ＹＲ（Ｒ２）、ＹＧ（Ｇ２）、ＹＢ（Ｂ２）を求める。
【数９】
2010230800.tif 000011
【０１１３】
このように求められたＲＧＢの階調値を、ステップＳ１８における変換処理後の結果として取得する。なお、実施形態１では、回帰計算を２回行うものとして説明したが、３回以上繰り返して、更に変換行列の精度を向上させるようにしてもよい。
【０１１４】
こうして、ＲＧＢの各色成分の９階調のそれぞれについて補正データが算出されると、コマンドとしてプロジェクターＰＪに送信する。プロジェクターＰＪでは、画像処理部４０の色補正テーブル記憶部４４に記憶される色補正テーブルが、ステップＳ１０〜ステップＳ２０で算出された補正データにより更新される。
【０１１５】
以上のように、実施形態１では、投射画像を測定することなく、投射部１００を構成する光学部品の分光情報を用いて、色補正テーブルの補正データが算出される。このような色補正テーブルの更新は、投射部１００を構成する光学部品の少なくとも１つが交換される毎に行われることが望ましい。このとき、ＸＹＺ表色系の色彩値に変換した後に補正データを算出するようにしたので、プロジェクターＰＪの分光特性の違いに依存しない基準値を基準に、補正データを精度良く算出することができるようになる。
【０１１６】
次に、実施形態１におけるプロジェクター調整システムの処理例について説明する。
【０１１７】
図１３に、実施形態１におけるプロジェクター調整システム１０の処理例のフロー図を示す。
【０１１８】
プロジェクター調整システム１０を構成するプロジェクターＰＪにおいて、光学部品の１つが交換されたものとする。このとき、画像調整装置２０は、補正データ算出ステップとして、上記のように、プロジェクターＰＪの分光情報記憶部３０に記憶される分光情報を取得し、補正データを算出する（ステップＳ３０）。このステップＳ３０の処理は、図１２において説明した処理であり、ＸＹＺ表色系の色彩値に変換した後に、補正データを算出する。
【０１１９】
そして、画像調整装置２０は、補正テーブル更新ステップとして、コマンドにより、算出した補正データをプロジェクターＰＪに送信し、プロジェクターＰＪ内の色補正テーブル記憶部４４に記憶される色補正テーブルを、ステップＳ３０において算出された補正テーブルにより更新する（ステップＳ３２）。
【０１２０】
その後、プロジェクターＰＪは、画像調整装置２０からの画像信号の入力を待つ（ステップＳ３４）。プロジェクターＰＪは、画像調整装置２０から画像信号が入力されると、画像処理部４０において、画像信号補正ステップとして、色補正テーブル記憶部４４に記憶された色補正テーブルを参照して、該画像信号に対応した階調値に関連づけられた補正データを読み出し（ステップＳ３６）、この補正データを用いて該画像信号を補正する（ステップＳ３８）。
【０１２１】
続いて、プロジェクターＰＪは、画像信号の入力が継続するとき（ステップＳ４０：Ｎ）、ステップＳ３４に戻って処理を継続し、画像信号の入力が終了するとき（ステップＳ４０：Ｙ）、一連の処理を終了する（エンド）。
【０１２２】
以上説明したように、実施形態１によれば、プロジェクターＰＪを構成する光学部品を交換した場合であっても、光学部品を交換後にプロジェクターＰＪの投射画像を測定することなく色補正テーブルを更新できるので、測定の煩わしさを伴うことなく、光学部品の交換に起因した画質の劣化を防止できるようになる。
【０１２３】
〔実施形態２〕
実施形態１では、プロジェクターＰＪ内に分光情報記憶部３０が内蔵される例について説明したが、投射部１００を構成する光学部品の分光情報は、それぞれの光学部品自体が記憶しておくことが望ましい。この場合、図１の分光情報記憶部３０の機能が、各光学部品に内蔵された記憶部に分割される。
【０１２４】
図１４に、実施形態２における投射部１００の構成例のブロック図を示す。図１４において、図２と同一部分には同一符号を付し、適宜説明を省略する。
【０１２５】
実施形態２では、投射部１００は、光源装置２００と、色分離装置３００と、光変調装置４００１〜４００Ｎと、合成部１９２と、投射レンズ１７０とを含む。以下では、Ｎが３であるものとする。
【０１２６】
光源装置２００の光源部１１０は、光源部１１０は、複数の色光を含む光を発生する。色分離装置３００の色分離部１８０は、光源部１１０からの光を複数の色光に分離する。色分離部１８０によって分離された各色光は、対応する光変調部に入射される。
【０１２７】
実施形態２における光源装置２００は、光源部１１０と、光源部１１０からの光の分光分布に対応した分光情報を記憶する光源情報記憶部２１０とを含み、光源情報記憶部２１０に記憶される分光情報が、外部に読み出し可能に構成される。このような光源部１１０は、実施形態１と同様に、例えば超高圧水銀ランプにより構成される。光源情報記憶部２１０は、フラッシュＲＯＭ等の不揮発性メモリー素子により構成される。
【０１２８】
そして、図２又は図３の光源部１１０に代えて、光源装置２００が、投射部１００に交換可能に設けられる。この場合、投射部１００は、光源装置２００の交換後においても、光源情報記憶部２１０が画像調整装置２０の補正データ算出部２４によってアクセスできるように構成されている。
【０１２９】
こうすることで、光源装置２００を交換した場合に、分光情報記憶部３０に記憶される分光情報を更新する必要がなくなり、交換後の光源部１１０に特有の分光情報を予め光源情報記憶部２１０に記憶させておくだけでよい。
【０１３０】
実施形態２における色分離装置３００は、色分離部１８０と、色分離部１８０の分光透過率に対応した分光情報を記憶する色分離情報記憶部３１０とを含み、色分離情報記憶部３１０に記憶される分光情報が、外部に読み出し可能に構成される。このような色分離部１８０は、実施形態１と同様に、例えばＲ成分用ダイクロイックミラー１２０Ｒ、Ｇ成分用ダイクロイックミラー１２０Ｇにより構成される。色分離情報記憶部３１０は、フラッシュＲＯＭ等の不揮発性メモリー素子により構成される。
【０１３１】
そして、図２の色分離部１８０又は図３のＲ成分用ダイクロイックミラー１２０ＲやＧ成分用ダイクロイックミラー１２０Ｇに代えて、色分離装置３００が、投射部１００に交換可能に設けられる。この場合、投射部１００は、色分離装置３００の交換後においても、色分離情報記憶部３１０が画像調整装置２０の補正データ算出部２４によってアクセスできるように構成されている。
【０１３２】
こうすることで、色分離装置３００を交換した場合に、分光情報記憶部３０に記憶される分光情報を更新する必要がなくなり、交換後の色分離部１８０に特有の分光情報を予め色分離情報記憶部３１０に記憶させておくだけでよい。
【０１３３】
実施形態２における光変調装置４００１は、光変調部１９０１と、光変調部１９０１の分光透過率に対応した分光情報を記憶する光変調情報記憶部４１０１とを含み、光変調情報記憶部４１０１に記憶される分光情報が、外部に読み出し可能に構成される。このような光変調部１９０１は、実施形態１と同様に、例えばＲ成分用液晶パネル１３０Ｒにより構成される。光変調情報記憶部４１０１は、フラッシュＲＯＭ等の不揮発性メモリー素子により構成される。
【０１３４】
そして、図２の光変調部１９０１又は図３のＲ成分用液晶パネル１３０Ｒに代えて、光変調装置４００１が、投射部１００に交換可能に設けられる。この場合、投射部１００は、光変調装置４００１の交換後においても、光変調情報記憶部４１０１が画像調整装置２０の補正データ算出部２４によってアクセスできるように構成されている。
【０１３５】
同様に、図示しない光変調装置４００２は、光変調部１９０２と、光変調部１９０２の分光透過率に対応した分光情報を記憶する光変調情報記憶部４１０２とを含み、光変調情報記憶部４１０２に記憶される分光情報が、外部に読み出し可能に構成される。このような光変調部１９０２は、実施形態１と同様に、例えばＧ成分用液晶パネル１３０Ｇにより構成される。光変調情報記憶部４１０２は、フラッシュＲＯＭ等の不揮発性メモリー素子により構成される。そして、図２の光変調部１９０２又は図３のＧ成分用液晶パネル１３０Ｇに代えて、光変調装置４００２が、投射部１００に交換可能に設けられる。この場合、投射部１００は、光変調装置４００２の交換後においても、光変調情報記憶部４１０２が画像調整装置２０の補正データ算出部２４によってアクセスできるように構成されている。
【０１３６】
また、同様に、図示しない光変調装置４００３は、光変調部１９０３と、光変調部１９０３の分光透過率に対応した分光情報を記憶する光変調情報記憶部４１０３とを含み、光変調情報記憶部４１０３に記憶される分光情報が、外部に読み出し可能に構成される。このような光変調部１９０３は、実施形態１と同様に、例えばＢ成分用液晶パネル１３０Ｂにより構成される。光変調情報記憶部４１０３は、フラッシュＲＯＭ等の不揮発性メモリー素子により構成される。そして、図２の光変調部１９０３又は図３のＢ成分用液晶パネル１３０Ｂに代えて、光変調装置４００３が、投射部１００に交換可能に設けられる。この場合、投射部１００は、光変調装置４００３の交換後においても、光変調情報記憶部４１０３が画像調整装置２０の補正データ算出部２４によってアクセスできるように構成されている。
【０１３７】
こうすることで、光変調装置４００１〜４００３の少なくとも１つを交換した場合に、分光情報記憶部３０に記憶される分光情報を更新する必要がなくなり、交換後の光変調部１９０１〜１９０３に特有の分光情報を予め光変調情報記憶部に記憶させておくだけでよい。
【０１３８】
図１４において、光変調装置４００１〜４００３のそれぞれは、色分離部１８０によって分離された色光のうち対応する色成分の色光を、画像信号補正部４６によって補正された画像信号に基づいて変調し、変調後の光を合成部１９２に出射する。合成部１９２は、光変調装置４００１〜４００３の光変調部１９０１〜１９０３のそれぞれからの変調後の光を合成し、合成した光を投射レンズ１７０に出射する。投射レンズ１７０は、合成部１９２によって複数の変調光が合成された光を用いて投射画像をスクリーンＳＣＲ上に拡大して結像させる。
【０１３９】
図１４に示す構成を有する投射部１００もまた、図３の構成を有することができる。また、画像調整装置２０の処理例やプロジェクター調整システム１０の処理例も実施形態１と同様であるため、詳細な説明を省略する。
【０１４０】
以上説明したように、実施形態２によれば、プロジェクターＰＪを構成する光学部品を交換した場合であっても、光学部品を交換後にプロジェクターＰＪの投射画像を測定することなく色補正テーブルを更新できるので、測定の煩わしさを伴うことなく、光学部品の交換に起因した画質の劣化を防止できるようになる。更に、実施形態２によれば、投射部１００を構成する各光学部品を交換した場合に、分光情報記憶部３０に記憶される分光情報を更新する必要がなくなり、交換後の光学部品に特有の分光情報を予め該光学部品に内蔵された記憶部に記憶させておくだけでよい。
【０１４１】
〔実施形態３〕
実施形態１又は実施形態２では、補正データ算出部２４の機能を画像調整装置２０が有していたが、補正データ算出部２４の機能をプロジェクターＰＪが有していてもよい。
【０１４２】
図１５に、本発明に係る実施形態３におけるプロジェクター調整システムの構成例のブロック図を示す。図１５において、図１と同一部分には同一符号を付し、適宜説明を省略する。なお、図１５では、実施形態２と同様に投射部１００を構成する光学部品毎に分光情報を記憶するものとして説明するが、実施形態１と同様に、分光情報記憶部３０に投射部１００を構成する光学部品の分光情報をすべて記憶させるようにしてもよい。
【０１４３】
実施形態３におけるプロジェクター調整システム５００は、プロジェクターＰＪ１と、画像生成装置５１０とを含む。画像生成装置５１０は、画像信号生成部２２を含む。プロジェクターＰＪ１は、画像処理部（画像処理装置）５２０と、投射部（画像表示部）１００とを含む。画像処理部５２０は、画像信号入力部４２と、色補正テーブル記憶部（補正テーブル記憶部）４４と、画像信号補正部４６と、補正データ算出部２４とを含む。
【０１４４】
画像生成装置５１０において、画像信号生成部２２は、コンテンツ画像に対応した画像信号を生成し、該画像信号をプロジェクターＰＪ１に対して出力する。プロジェクターＰＪ１では、画像生成装置５１０からの画像信号に基づいて画像を投射する。この際、プロジェクターＰＪ１では、投射部１００を構成する光学部品の分光情報に基づいて補正データを算出し、該補正データに基づいてプロジェクターＰＪ１の投射画像の輝度及び色度を調整する制御を行う。なお、画像生成装置５１０の機能は、例えばパーソナルコンピューター等を用いたソフトウェア処理や専用ハードウェア等によるハードウェア処理により実現される。
【０１４５】
より具体的には、プロジェクターＰＪ１においても、投射部１００を構成する光学部品毎に分光情報が記憶されると共に該分光情報が読み出し可能に構成されており、プロジェクターＰＪ１において、実施形態１と同様に補正データ算出部２４によって補正データが算出される。そして、プロジェクターＰＪ１において、算出された補正データを色補正テーブル記憶部４４において順次色補正テーブルとして記憶していく。この色補正テーブル記憶部４４に記憶された色補正テーブルは、補正データ算出部２４によって補正データが算出される毎に、そのテーブル内容が更新されるようになっている。画像信号補正部４６は、画像信号入力部４２からの画像信号に対し、色補正テーブル記憶部４４に記憶された色補正テーブルを参照して補正処理を行い、輝度及び色度の少なくとも一方を補正した画像信号を生成し、該画像信号を投射部１００に対して出力する。
【０１４６】
以上、本発明に係るプロジェクター、プロジェクター調整システム、プロジェクター調整方法、光源装置、色分離装置、及び光変調装置を上記の各実施形態に基づいて説明したが、本発明は上記の各実施形態に限定されるものではなく、その要旨を逸脱しない範囲において種々の態様において実施することが可能であり、例えば次のような変形も可能である。
【０１４７】
（１）上記の各実施形態では、プロジェクターの外部に画像調整装置２０又は画像生成装置５１０が設けられていたが、本発明はこれに限定されるものではない。例えば、プロジェクターが画像調整装置２０又は画像生成装置５１０の機能を内蔵していてもよい。
【０１４８】
（２）上記の各実施形態では、補正データを算出する際に、一旦、ＸＹＺ表色系の色彩値に変換するものとして説明したが、本発明はこれに限定されるものではなく、他の表色系の値に変換するようにしてもよい。
【０１４９】
（３）上記の各実施形態では、色分離部の分光透過率に対応した分光情報を用いる例を説明したが、本発明はこれに限定されるものではない。例えば、色分離部の分光透過率に代えて、色分離部の分光反射率であってもよい。
【０１５０】
（４）上記の各実施形態では、光変調部の分光透過率又は分光反射率を用いる例を説明したが、本発明はこれに限定されるものではない。例えば、光変調部の分光透過率に代えて、光変調部の分光反射率であってもよい。また、例えば、光変調部の分光反射率に代えて、光変調部の分光透過率であってもよい。
【０１５１】
（５）上記の各実施形態では、プロジェクターを調整する例を説明したが、本発明はこれに限定されるものではない。例えば、液晶表示装置、プラズマディスプレイ装置、有機ＥＬディスプレイ装置等の画像を調整する各種の画像調整システムにも適用できる。
【０１５２】
（６）上記の各実施形態では、光変調部として液晶パネルを用いるものとして説明したが、本発明はこれに限定されるものではない。光変調部として、例えばＤＬＰ（Digital Light Processing)（登録商標）、ＬＣＯＳ（Liquid Crystal On Silicon）等を採用してもよい。
【０１５３】
（７）上記の各実施形態において、本発明を、プロジェクター、プロジェクター調整システム、プロジェクター調整方法、光源装置、色分離装置、及び光変調装置等として説明したが、本発明はこれに限定されるものではない。例えば、本発明を実現するためのプロジェクターの調整方法の処理手順が記述されたプログラムや、該プログラムが記録された記録媒体であってもよい。
【符号の説明】
【０１５４】
１０，５００…プロジェクター調整システム、  ２０…画像調整装置、
２２…画像信号生成部、  ２４…補正データ算出部、  ３０…分光情報記憶部、
４０，５２０…画像処理部、  ４２…画像信号入力部、  ４４…色補正テーブル記憶部、
４６…画像信号補正部、  ５０…ＣＰＵ、  ５２…Ｉ／Ｆ回路、  ５４…ＲＯＭ、
５６…ＲＡＭ、  ５８…バス、  １００…投射部、  １１０…光源部、
１１２，１１４…インテグレーターレンズ、  １１６…偏光変換素子、
１１８…重畳レンズ、  １２０Ｒ…Ｒ成分用ダイクロイックミラー、
１２０Ｇ…Ｇ成分用ダイクロイックミラー、  １２２，１４８，１５０…反射ミラー、
１２４Ｒ…Ｒ成分用フィールドレンズ、  １２４Ｇ…Ｇ成分用フィールドレンズ、
１３０Ｒ…Ｒ成分用液晶パネル、  １３０Ｇ…Ｇ成分用液晶パネル、
１３０Ｂ…Ｂ成分用液晶パネル、  １４０…リレー光学系、
１４２，１４４，１４６…リレーレンズ、  １６０…クロスダイクロイックプリズム、
１７０…投射レンズ、  １８０…色分離部、  １９０１〜１９０Ｎ…光変調部、
１９２…合成部、  ２００…光源装置、  ２１０…光源情報記憶部、
３００…色分離装置、  ３１０…色分離情報記憶部、  
４００１〜４００Ｎ…光変調装置、  ４１０１〜４１０Ｎ…光変調情報記憶部、
５１０…画像生成装置、  ＰＪ，ＰＪ１…プロジェクター、  ＳＣＲ…スクリーン
【図１】
2010230800.tif 000012
【図２】
2010230800.tif 000013
【図３】
2010230800.tif 000014
【図４】
2010230800.tif 000015
【図５】
2010230800.tif 000016
【図６】
2010230800.tif 000017
【図７】
2010230800.tif 000018
【図８】
2010230800.tif 000019
【図９】
2010230800.tif 000020
【図１０】
2010230800.tif 000021
【図１１】
2010230800.tif 000022
【図１２】
2010230800.tif 000023
【図１３】
2010230800.tif 000024
【図１４】
2010230800.tif 000025
【図１５】
2010230800.tif 000026